(57)【特許請求の範囲】
【請求項１】
開口部を有する電極枠体と、
前記電極枠体に個別に着脱可能に取り付けられた複数の電極ユニットからなるスリット電極であって、
各電極ユニットは、前記開口部内に並設された複数本の電極棒と、前記開口部を挟んで各電極棒の長手方向の端部を支持する一組の電極棒支持部材とを有していることを特徴とするスリット電極。
【請求項２】
前記電極ユニットは、各電極ユニット間に隙間が形成されるようにして配置されていることを特徴とする請求項１記載のスリット電極。
【請求項３】
前記電極ユニットは、前記電極棒支持部材に対して着脱可能に取り付けられているとともに、前記電極棒の長手方向における端部上面を覆うように配置された蓋体を備えていることを特徴とする請求項１または２記載のスリット電極。
【請求項４】
荷電粒子ビーム引出し用の電極として、請求項１、２または３記載のスリット電極を備えていることを特徴とする荷電粒子ビーム発生装置。
【発明の詳細な説明】
【技術分野】
【０００１】
本発明は、イオンビーム照射装置のイオン源や電子ビーム照射装置の電子源といった荷電粒子ビーム発生装置で用いられるスリット電極及びこれを備えた荷電粒子ビーム発生装置に関する。
【背景技術】
【０００２】
従来から、イオンビーム照射装置のイオン源よりイオンビームを引き出す為の引出し電極系として、複数のスリット状開口部を有するスリット電極が用いられている。このようなスリット電極は、イオン源運転時の熱によって開口部形状の変形を防止する為の構成を備えている。このスリット電極についての具体例が特許文献１に開示されている。
【０００３】
特許文献１に開示されている電極は、開口部を有する電極枠体と当該枠体の開口部内におおよそ等間隔に並べられた複数本の電極棒とを備えている。各電極棒の間には、スリット状開口部が形成されている。そして、長手方向において各電極棒の熱による伸縮が許容できるように、各電極棒の端部は固定されておらず、各電極棒がその長手方向に移動可能な状態で電極枠体に支持されている。
【０００４】
また、特許文献２にも特許文献１と同様の電極構成が開示されている。ここでは、矩形状の電極支持枠に複数のロッド通し穴を設けておき、この穴に複数本のロッドが挿入された時、ロッド通し穴の終端部とロッドの長手方向端部との間に余裕部（隙間）が形成される構成のスリット電極が開示されている。このスリット電極では、各ロッド間にスリット状開口部が形成されている。
【先行技術文献】
【特許文献】
【０００５】
【特許文献１】特公平７−３４３５８号公報（図２、図２）
【特許文献２】特開平８−１４８１０６号公報（図２、図４〜図６）
【発明の概要】
【発明が解決しようとする課題】
【０００６】
イオン源や電子源の引出し電極系に特許文献１や特許文献２に挙げられるスリット電極を用いた場合、スリット状開口部を形成する電極棒やロッドにイオンビームが衝突して、電極棒やロッドは高温に熱せられる。一方で、電極棒に比べて高温に加熱されないにしろ、電極棒を支持する部材もイオン源や電子源の運転時にはある程度高温に加熱されている。
【０００７】
その為、電極棒の支持部材も熱によって伸縮する。特許文献１や特許文献２には、電極棒やロッドの熱による伸縮を許容する構成が開示されているが、電極棒やロッドを支持する支持部材となる電極枠体や電極支持枠の熱による伸縮に対してどのように対処するのかについては何ら開示されていなかった。
【０００８】
電極棒の支持部材が熱変形すると、それに伴ってスリット状開口部の形状が変形してしまう。このような形状変化に伴って、スリット状開口部の位置ずれが生じる。そして、このようなスリット状開口部の変形や位置ずれは、スリット電極の寸法が大きくなるのに従って、益々大きなものになる。その為、特許文献１や特許文献２に開示されているスリット電極の構成では、電極の熱による歪みを十分に抑制出来ているとは言えず、電極棒の支持部材が熱変形した場合には、所望するイオンビームや電子ビームの引出しを達成することが出来なくなるといった不具合が生じてしまう。
【０００９】
そこで本発明では、荷電粒子ビーム発生装置の運転時に、スリット状開口部の形状が熱変形し難いスリット電極を提供することを所期の目的とする。
【課題を解決するための手段】
【００１０】
本発明のスリット電極は、開口部を有する電極枠体と、前記電極枠体に個別に着脱可能に取り付けられた複数の電極ユニットからなるスリット電極であって、各電極ユニットは、前記開口部内に並設された複数本の電極棒と、前記開口部を挟んで各電極棒の長手方向の端部を支持する一組の電極棒支持部材とを有していることを特徴としている。
【００１１】
このように、電極棒を支持する電極棒支持部材を複数組設けておき、これらを電極ユニットとして電極枠体に取り付けるように構成しているので、従来の構成に比べて、スリット状開口部の熱による変形量を小さくすることができる。
【００１２】
また、前記電極ユニットは、各電極ユニット間に隙間が形成されるようにして配置されていることが望ましい。
【００１３】
このような配置にすることで、電極ユニットの熱による伸縮をある程度許容させることができる。
【００１４】
さらに、前記電極ユニットは、前記電極支持部材に対して着脱可能に取り付けられているとともに、前記電極棒の長手方向における端部上面を覆うように配置された蓋体を備えていることが望ましい。
【００１５】
このような構成にすることで、蓋体を取り外すだけで電極棒を交換することが可能となる。その為、電極棒のみの交換が必要な場合であっても、電極ユニットごと交換する必要がないので、部材交換時の部材費用を安く抑えることができる。
【発明の効果】
【００１６】
電極棒を支持する電極棒支持部材を複数組設けておき、これらを電極ユニットとして電極枠体に取り付けるように構成しているので、従来の構成に比べて、スリット状開口部の熱による変形量を小さくすることができる。
【図面の簡単な説明】
【００１７】
【図１】本発明のスリット電極の一例を表し、（Ａ）はその平面図であり、（Ｂ）は（Ａ）に記載のＡ‐Ａ線での断面図である。
【図２】図１のスリット電極を構成する複数の電極ユニットが電極枠体に取り付けられる様子を表す斜視図である。
【図３】本発明のスリット電極の別の例を表し、（Ａ）はその平面図であり、（Ｂ）は（Ａ）に記載のＢ‐Ｂ線での断面図である。
【図４】図３のスリット電極より蓋体を取り除いた時の様子を表し、（Ａ）はその平面図であり、（Ｂ）は（Ａ）に記載のＣ‐Ｃ線での断面図である。
【図５】図３のスリット電極を構成する複数の電極ユニットが電極枠体に取り付けられる様子を表す斜視図である。
【図６】本発明のスリット電極に用いられる電極枠体の変形例を表す斜視図である。
【発明を実施するための形態】
【００１８】
以下の実施形態において、各図に描かれているＸ、Ｙ、Ｚの各軸は互いに直交している。
【００１９】
図１には本発明のスリット電極１の一例が描かれている。図１（Ａ）の平面図に描かれるように、このスリット電極１は、主に開口部３を有する電極枠体２と開口部３内に配置された複数本の電極棒５（図１（Ａ）中、ハッチングされている部材）とで構成されている。
【００２０】
各電極棒５は、長手方向がＸ方向に沿うように電極枠体２に取り付けられた電極支持部材６に支持されているとともに、Ｙ方向に沿って略等しい間隔を空けて開口部３内に並設されている。
【００２１】
Ｙ方向に沿って開口部３内に並設された各電極棒５の間やＹ方向の端部に位置する各電極棒５と電極枠体２との間には、スリット状開口部４が形成されている。
【００２２】
図１（Ｂ）には、図１（Ａ）に記載のＡ−Ａ線での断面の様子が描かれている。電極棒５の長手方向における端部を支持する支持部７を備えた電極棒支持部材６は、Ｘ方向に開口部３を挟むようにして、電極枠体２上にネジ８によって取り付けられている。そして、電極棒５はその長手方向において、移動可能となるように支持部７内に支持されており、このような構成によって、従来と同様に、電極棒５の熱による伸縮が許容されている。
【００２３】
Ｘ方向に開口部３を挟んで配置されている一組の電極棒支持部材６はＹ方向に沿って、複数組設けられている。そして、開口部３を挟んで配置された一組の電極棒支持部材６と電極棒支持部材６の支持部７に支持される複数本の電極棒５とがひとまとまりとなって、電極ユニットＵとして、電極枠体２に取り付けられる。この様子が図２に描かれている。
【００２４】
図２に描かれているように、各電極ユニットＵ（ここでは、３つのユニット）は、図示される矢印の方向に沿って電極枠体２内に運ばれて、電極枠体２に取り付けられる。この取り付けについては、前述したように、ネジ８を用いて行われる。具体的には、電極ユニットＵを構成する電極棒支持部材６の図示されない貫通穴にネジ８を挿通し、電極枠体２に形成されたネジ穴９に螺合させることで行われる。一方、部材の交換時には、このネジ８を緩めることで、電極ユニットＵを電極枠体２より取り外すことができる。
【００２５】
図１（Ａ）に示されるように、ＸＹ平面において、各電極ユニットＵの間や各電極ユニットＵと電極枠体２との間には、ある程度の隙間が設けられていることが望ましい。このような隙間があれば、電極枠体２や電極ユニットＵの熱伸縮によって起こりうる部材同士の干渉を防止することが可能となる。なお、電極ユニットＵを構成する電極棒支持部材６の形状が長方形状である場合、短手方向（図１中のＸ方向）で発生する熱伸縮は、長手方向（図１中のＹ方向）に比べて小さくなる。この短手方向における熱伸縮が無視できる程度の小さいものであれば、前述した隙間は、各電極ユニットＵの長手方向にのみ形成されていれば良い。
【００２６】
電極ユニットＵを電極枠体２に取り付ける構成にしておくと、部材の交換作業の点でもメリットがある。特許文献１や特許文献２の構成では、電極棒やロッドを１本ずつ交換する必要があった。また、特許文献１の別の構成では、電極枠体を分割して、電極棒を取り外す必要があった。これに対して、本発明の構成では電極ユニットＵごとに部材交換が可能となる。その為、短時間で複数本の電極棒を一挙に交換することが可能となり、しかも交換作業が簡単となる。
【００２７】
本発明のスリット電極１の別の例が図３に描かれている。図３（Ａ）にはその平面図が描かれており、図３（Ｂ）には図３（Ａ）に記載のＢ−Ｂ線での断面の様子が描かれている。この例では、電極棒５の長手方向における端部上面を覆うように配置された蓋体１０が電極棒支持部材６に取り付けられている。この点が、図１の例と異なっている。この相違点について、以下に詳述し、図１の例と同じ構成である部分については、その説明を省略する。
【００２８】
図３（Ｂ）に記載されているように、この例では電極棒支持部材６の開口部３側に位置する上面端部に凹部１２が形成されており、その凹部１２上方を電極棒支持部材６に取り付けられた蓋体１０が覆うことで、支持部７が形成されている。図３（Ａ）と図３（Ｂ）に記載されるように、図１の例と同じく、電極棒支持部材６は電極枠体２にネジ８によって取り付けられている。一方、蓋体１０は電極棒支持部材６上にネジ８によって取り付けられており、電極枠体２に対して直接取り付けられていない。その為、電極棒支持部材６が電極枠体２に取り付けられている状態で、蓋体１０のみの取り外しが可能となる。
【００２９】
図４には、図３に示したスリット電極１より蓋体１０を取り外した時の様子が描かれている。図４（Ａ）にはその平面図が描かれており、図４（Ｂ）には図４（Ａ）に記載のＣ−Ｃ線での断面の様子が描かれている。これらの図からわかるように、蓋体１０を取り外した時、電極棒５を支持する支持部７の上方が開放されるので、そこから複数本の電極棒５を個別に取り付け、あるいは、取り外しすることが可能となる。
【００３０】
図３に示すスリット電極１の場合、電極枠体２への電極ユニットＵの取り付けは、図５に示すようにして行われる。この場合、図５に示されるように、電極棒支持部材６に蓋体１０を取り付けた後に、電極枠体２へ電極ユニットＵとして取り付けられる。一方で、このような取り付け方ではなく、各部材を個別に取り付けるようにしても良い。具体的には、電極枠体２に対して電極棒支持部材６を取り付けておき、その後、電極棒５を電極棒支持部材６に取り付ける。最後に、電極棒支持部材６に対して蓋体１０を取り付ける。このような取り付け方をしても構わない。
【００３１】
このような蓋体１０を備えたスリット電極１であれば、部材交換時に要する部材費用を低額に抑えることが可能となる。例えば、電極棒支持部材６自体の熱変形は許容できる程度のものであるが電極棒５の交換が必要とされる場合には、蓋体１０を電極棒支持部材６より取り外すことで、電極棒５のみを交換することができる。この場合、電極ユニットＵの全体を交換する必要がないので、その分、部材交換に要する費用が安くなる。
【００３２】
図６には、電極枠体２の変形例が描かれている。この図６に記載されているように、電極枠体２には電極ユニットＵの取り付け時の基準となる突起１１が形成されていても良い。このような構成にすれば、電極ユニットＵの取り付け時の位置調整が簡単になり、取り付けに要する時間が短くて済む。
【００３３】
本発明の構成は、長尺状の電極を用いる場合や荷電粒子ビーム発生装置の引出し電極系として複数枚の電極を用いる場合に、特に有利となる。
【００３４】
長尺状の電極では、電極の長辺方向における端部と中央部分とを比較した時、電極の熱による変形の程度に大きな差が生じていた。具体的には、電極端部では熱による変形が大きいが、中央部分では熱による変形が小さい。この場合、スリット状開口部の形状が電極の場所によって異なってしまう為、電極を通して所望する荷電粒子ビームを引き出すことが難しくなる。これに対して、本発明の構成では、各電極ユニットＵの熱による変形量が小さいので、電極の長手方向における端部と中央部分とで、スリット状開口部の熱変形量にはほとんど差が生じない。その為、電極を通して容易に所望する荷電粒子ビームを引き出すことができる。
【００３５】
また、荷電粒子ビーム引出し用の電極として複数枚のスリット電極を用いる場合、各電極に設けられたスリット状開口部を通して荷電粒子ビームを引き出す為に、各電極でスリット状開口部の位置を所定位置に合わせておくことが必要とされている。しかし、従来のスリット電極の構成では、熱による電極の変形量が大きい為、このような位置合わせを行うことが難しく、各電極でのスリット状開口部の位置にずれが生じた場合、荷電粒子ビームの引出しができなくなってしまう可能性があった。これに対して、本発明の構成を用いると、電極に形成されたスリット状開口部の熱による形状変化を小さなものにすることができるので、各電極でのスリット状開口部の位置ずれを従来の構成に比べて格段に小さくすることができる。その結果、安定して所望する荷電粒子ビームを引き出すことが可能となる。
＜その他の実施形態＞  
【００３６】
本発明で用いられる電極枠体２、電極棒支持部材６、蓋体１０、電極棒５には、熱膨張率が小さいモリブデンやタングステンのような高融点材料を使用することが望ましい。
【００３７】
また、電極枠体２に冷媒流路を設けておき、そこに冷媒を流すことで電極枠体２を冷却するように構成しておいても良い。
【００３８】
さらに、本発明が適用される電極枠体２に形成される開口部３の形状は長方形状である必要はなく、それ以外の形状であっても良い。例えば、円形状や楕円形状、多角形状のものであっても良く、開口部３内に電極棒５を配置した際に、荷電粒子ビームを通過させるスリット状開口部４が形成されるものであれば、どのような形状であっても良い。
【００３９】
また、これまで複数本の電極棒５の長手方向がＸ方向に沿って配置されている例について説明してきたが、それ以外の構成であっても良い。例えば、ＸＹ平面上でＸ方向に対して斜めとなる方向に各電極棒５の長手方向を配置しておき、各電極棒５がおおよそＹ方向に沿って並設されるようにしておいても良い。この場合、ＸＹ平面において、複数本の電極棒５の間に形成されるスリット状開口部４の形状はおおよそ平行四辺形になる。なお、本発明では各電極棒５の長手方向と開口部３内に各電極棒５が並設される並設方向とは、直交している必要はなく、交差していれば良い。
【００４０】
電極枠体２に対する電極ユニットＵの取り付けや電極棒支持部材６への蓋体１０の取り付けにあたって、ネジ８を用いることを例に挙げて説明してきたが、各部材の取り付けが着脱可能に行えるものであればその他の固定方法を用いても構わない。
【００４１】
前述した以外に、本発明の要旨を逸脱しない範囲において、各種の改良および変更を行っても良いのはもちろんである。
【符号の説明】
【００４２】
１・・・スリット電極
２・・・電極枠体
３・・・開口部
４・・・スリット状開口部
５・・・電極棒
６・・・電極棒支持部材
７・・・支持部
８・・・ネジ
１０・・・蓋体
Ｕ・・・電極ユニット
【図１】
0005589916.tif 000002
【図２】
0005589916.tif 000003
【図３】
0005589916.tif 000004
【図４】
0005589916.tif 000005
【図５】
0005589916.tif 000006
【図６】
0005589916.tif 000007